【手続補正書】
【提出日】平成15年9月29日(2003.9.29)
【手続補正１】
【補正対象書類名】特許請求の範囲
【補正対象項目名】全文
【補正方法】変更
【補正の内容】
【特許請求の範囲】
【請求項１】
凝縮器、送風ファン及び圧縮機等を含み冷媒を凝縮する室外機と、
蒸発器、送風ファン、吸入口及び吐き出し口等を含み室内の空気を冷却して排出する室内機と、
前記室内機の蒸発器と、前記室外機の凝縮器との間を連結して冷媒を循環させる冷媒管と、
複数の構成要素からなり酸素を発生する駆動部および前記駆動部を保護する外装部を備え前記室外機の上部に分離させて設けられて外部空気を吸入し酸素を発生する酸素発生器、前記室内機内に設けられて酸素を排出する酸素排出器、前記酸素発生器で生成された酸素を前記酸素排出器に移送する酸素移送管を含む酸素発生装置とを具備し、
前記酸素発生器と酸素排出機とがそれぞれ室外と室内に分離して設けられて空気調和機自体の構造を変更せずに室内に酸素を供給できるようにしたことを特徴とする空気調和機。
【請求項２】
前記駆動部は、
所定の吸着剤が充填される吸着塔と、
前記吸着塔が加圧又は真空状態となるように強制的に循環させる空気ポンプと、
前記空気ポンプの入出口にそれぞれ連結され、前記吸着塔の入口に連結され、空気流路を選択的に生成し、それぞれ外部空気を吸入し内部空気を吐き出す第１及び第１切換弁と、
前記吸着塔の出口に連結される前記酸素移送管に設けられて排出方向にだけ流動を許容する逆止弁と、
前記空気ポンプの入口、前記第１切換弁及び前記吸着塔の入口を互いに連結される第１流路と、
前記空気ポンプの出口、前記第２切換弁及び前記吸着塔の入口を互いに連結する第２流路と、
前記第１流路上の第１切換弁から分岐して外部大気と連通する第１空気管と、
前記第２流路上の第２切換弁から分岐して外部大気と連通する第２空気管を含めて、前記吸着塔内部で加圧又は真空状態によって流れ込んだ空気から酸素が発生したり前記吸着剤から窒素が脱着する請求項１に記載の空気調和機。
【請求項３】
前記駆動部は、前記吸着塔の内部が加圧又は真空状態となるように前記第１及び第２切換弁と前記ポンプの作動を制御する制御部を更に含める請求項２に記載の空気調和機。
【請求項４】
前記駆動部は、関連作動部を制御するように前記制御部に所定の信号を出力する信号出力部を更に含める請求項３に記載の空気調和機。
【請求項５】
前記信号出力部は、前記吸着塔の内部の圧力状態変化のための切換作動以降の時間を測定するタイマーである請求項４に記載の空気調和機。
【請求項６】
前記信号出力部は、室内の所定ガスの濃度を測定するガスセンサーである請求項４に記載の空気調和機。
【請求項７】
前記測定されるガスは、二酸化炭素である請求項６に記載の空気調和機。
【請求項８】
前記信号出力部はユーザ操作によって前記制御部に直接作動信号を出力するキー入力部である請求項４に記載の空気調和機。
【請求項９】
前記制御部は設定された時間によって前記吸着塔の内部の加圧及び真空状態を周期的に繰り返す請求項３に記載の空気調和機。
【請求項１０】
前記第１及び第２切換弁は前記自体に連結された前記空気管及び前記ポンプの間を連結したり前記吸着塔及び前記ポンプの間を連結する請求項９に記載の空気調和機。
【請求項１１】
前記制御部は加圧及び真空状態を周期的に繰り返しながら前記加圧及び真空状態以前に所定時間の大気圧状態を先行させる請求項３に記載の空気調和機。
【請求項１２】
前記第１及び第２切換弁は自体に連結された前記空気管、前記ポンプ及び吸着塔のうちいずれか二カ所を選択的に連結する請求項１１に記載の空気調和機。
【請求項１３】
前記第１切換弁は、
内部一端部を区切る垂直壁を有するケース本体と、
前記垂直壁に区切られた空間に各々設けられると共に、空気が流入する流入口及び流出する流出口が形成される水平部材と、
前記それぞれ流入口と連通するように設けられる第１吸入管及び第２吸入管と、
前記それぞれ流出口と共通で連通するように設けられる吐き出し管と、
前記各流出口を開閉する開閉手段とを含む請求項２に記載の空気調和機。
【請求項１４】
前記第２切換弁が、
内部の一端部を区切る垂直壁を有するケース本体と、
前記垂直壁により区切られた空間にそれぞれ設けられると共に、空気が流入される流入口及び流出口が形成される水平部材と、
前記各流入口と共通で連通するように設けられる吸入管と、
前記各流出口と連通するように設けられる第１吐き出し管及び第２吐き出し管と、
前記各流出口を開閉する開閉手段とを含む請求項２に記載の空気調和機。
【請求項１５】
前記第１吸入管は外部大気と前記第２吸入管は吸着塔とそれぞれ連結され、前記吐き出し管はポンプ入口に連結される請求項１３に記載の空気調和機。
【請求項１６】
前記吸入管はポンプの出口側に連結され、前記第１吐き出し管は吸着塔と、第２吐き出し管は外部大気とそれぞれ連結される請求項１４に記載の空気調和機。
【請求項１７】
前記開閉手段は、
前記流出口を開閉する開閉部材と、
電磁気力により前記開閉部材を移動させる電磁石部材と、
前記開閉部材を元の位置に復元させる弾性部材とからなる
請求項１３又は１４に記載の空気調和機。
【請求項１８】
前記各流出口を開閉する前記各開閉部材の先端にパッキング部材が結合される請求項１７に記載の空気調和機。
【請求項１９】
前記各水平部材は柔軟性を有する材料からなる請求項１３又は１４に記載の空気調和機。
【請求項２０】
前記各水平部材にはその形状を維持する形状維持部材が結合される請求項１９に記載の空気調和機。
【請求項２１】
前記第１空気管及び第２空気管が一つに統合されて外部大気と連通する請求項２に記載の空気調和機。
【請求項２２】
前記酸素発生器の外装部は、
前記室外機の上部に固定され、前記駆動部を固定支持する支持板と前記支持板に固定され前記駆動部を保護するように覆うハウジングを含む請求項１に記載の空気調和機。
【請求項２３】
前記外装部の支持板が所定の大きさの貫通孔を更に含んでおり、前記室外機の上部が前記支持板の貫通孔に当たる位置に所定大きさの貫通孔を更に含んでおり、前記貫通孔を介して前記駆動部の空気管などが高温の空気を吸い込むように前記室外機の内部の圧縮機周辺に位置する請求項２２に記載の空気調和機。
【請求項２４】
前記酸素発生器の外装部が前記室外機の駆動部の上部に設けられ、前記酸素発生器の駆動部を固定支持する分離板と、前記分離板が固定される酸素発生器駆動部及びその下部の室外機の駆動部を保護するように覆うハウジングを含める請求項１に記載の空気調和機。
【請求項２５】
前記外装部の分離板が所定大きさの貫通孔を更に含めて前記貫通孔を介して前記駆動部の空気管が高温の空気を吸い込むように前記圧縮機の周辺に位置する請求項２４に記載の空気調和機。
【請求項２６】
前記室外機は前記圧縮機の表面又はその周辺に付着され前記空気管を前記圧縮機の周囲に安定して位置するように固定する固定部材を更に含む請求項２３又は２５に記載の空気調和機。
【請求項２７】
前記酸素排出機が前記室外機の外部面に付着され、前記酸素移送ラインと連結して酸素排出状態を表示する酸素発生表示部を更に含む請求項１に記載の空気調和機。
【請求項２８】
前記酸素発生表示部は、
一端は酸素移送管と他端は酸素排出部とそれぞれ連結し、前記連結された両端の間に酸素流路が形成される本体と、
前記本体の前方に付着され、前記本体の流路を透視できる透明窓と、
前記本体の流路内に挿入されて酸素の流量によって流路内を浮遊するフロートとからなる請求項２７に記載の空気調和機。
【請求項２９】
酸素発生装置の作動が開始されるとき、吸着塔を外部大気と連通させて前記吸着塔の内部を大気圧状態で調節する段階と、
前記吸着塔内部の吸着剤から窒素を脱着するように前記吸着塔の内部を設定された真空度まで減圧する段階と、
前記吸着塔を外部大気と連通させて前記吸着塔の内部を大気圧の状態で再調節する段階と、
前記吸着剤を用いて空気から酸素を抽出するために前記吸着塔の内部を設定された圧力まで加圧する段階からなることを特徴とする空気調和機の酸素発生方法。
【請求項３０】
前記加圧段階で前記最初大気圧調節段階以降に行われ前記減圧段階が前記大気圧再調節段階以降に行われる請求項２９に記載の空気調和機の酸素発生方法。
【請求項３１】
酸素発生装置の作動途中に前記減圧段階、大気圧調節段階、加圧段階が順次に反復される請求項２９に記載の空気調和機の酸素発生方法。
【請求項３２】
前記大気圧調節段階、減圧段階及び加圧段階が所定の制御部と前記制御部による作動制御以降の時間を測定する信号出力部により制御される請求項２９に記載の空気調和機の酸素発生方法。
【請求項３３】
前記大気圧最初及び再調節段階は、
前記制御部により吸着塔が外部大気と直接連通されるように切換弁を切り換える段階と、
前記信号出力部で切換以降の時間を測定して前記制御部に出力する段階と、
前記制御部の内部に既に設定された時間と前記信号出力部の測定時間を比較することで、前記設定された時間の間前記吸着塔の内部を大気圧状態で維持する段階と含む請求項２９に記載の空気調和機の酸素発生方法。
【請求項３４】
前記減圧段階は、
前記制御部により吸着塔からポンプを経て外部空気に繋ぐ流路を形成するように切換弁を切り換える段階と、
前記信号出力部が前記切換段階以降の時間を測定する段階と、
前記吸着塔の内部空気が前記流路に沿って排出するようにポンプを作動する段階と、
前記制御部の内部に既に設定された減圧時間と前記信号出力部の測定時間を比較することで前記設定された減圧時間の間ポンプ作動を維持する段階とを含む請求項３２に記載の空気調和機の酸素発生方法。
【請求項３５】
前記加圧段階は、
前記制御部により外部空気からポンプを経て前記吸着塔まで繋がる流路を形成するように切換弁を切り換える段階と、
前記信号出力部が前記切換段階以降の時間を測定する段階と、
外部空気が前記流路に沿って吸着塔に供給されるようにポンプを作動する段階と、
前記制御部の内部に既に設定された加圧時間と前記信号出力部の測定時間とを比較することで前記設定された加圧時間の間ポンプ作動を維持する段階とを含む請求項３２に記載の空気調和機の酸素発生方法。
【請求項３６】
前記減圧段階及び加圧段階は、所定の制御部と室内のガス濃度を測定する信号出力部により制御される請求項２９に記載の空気調和機の酸素発生方法。
【請求項３７】
前記減圧段階は、
前記制御部により吸着塔からポンプを経て外部空気に繋がる流路を形成するように切換弁を切り換える段階と、
前記信号出力部で室内のガス濃度を測定する段階と、
前記吸着塔の内部空気が前記流路に沿って排出するようにポンプを作動する段階と、
前記制御部の内部に既に設定された最大ガス濃度と前記信号出力部の測定ガス濃度を比較することで前記設定された最大ガス濃度に至るまでポンプ作動を維持する段階とを含む請求項３６に記載の空気調和機の酸素発生方法。
【請求項３８】
前記加圧段階は、
前記制御部により外部空気からポンプを経て前記吸着塔まで繋がる流路を形成するように切換弁を切り換える段階と、
前記信号出力部が室内のガス濃度を測定する段階と、
外部空気が前記流路に沿って吸着塔に供給されるようにポンプを作動する段階と、
前記制御部の内部に既に設定された最大ガス濃度と前記信号出力部のガス濃度とを比較することで前記設定された最小ガス濃度に至るまでポンプ作動を維持する段階とを含む請求項３６に記載の空気調和機の酸素発生方法。
【請求項３９】
前記減圧段階及び加圧段階は、所定の制御部とユーザが減圧段階及び加圧段階を直接選択可能にする信号出力部により制御される請求項２９に記載の空気調和機の酸素発生方法。
【請求項４０】
内部一端部を区切る垂直壁を有するケース本体と、
前記垂直壁により区切られた空間にそれぞれ設けられると共に、空気が流入する流入口及び流出する流出口が形成される水平部材と、
前記各流入口と連通するように設けられる第１吸入管及び第２吸入管と、
前記各流出口と共通で連通するように設けられる吐き出し管、
前記各流出口を開閉する開閉手段を含めて酸素発生器の空気吸入側に設けられる前記第１切換弁と、
内部の一端部を区切る垂直壁を有するケース本体と、
前記垂直壁により区切られた空間にそれぞれ設けられると共に、空気が流入する流入口及び流出する流出口が形成される水平部材と、
前記各流入口と共通で連通するように設けられる吸入管と、
前記各流出口と連通するように設けられる第１吐き出し管及び第２吐き出し管と、
前記各流出口を開閉する開閉手段を含めて酸素発生器の空気吐き出し側に設けられる第２切換弁からなることを特徴とする酸素発生器の切換弁。
【請求項４１】
前記第１吸入管は外部大気と前記第２吸入管は吸着塔とそれぞれ連結され、前記吐き出し管はポンプ入口に連結される請求項４０に記載の切換弁。
【請求項４２】
前記吸入管はポンプの出口側に連結され、前記第１吐き出し管は吸着塔と、第２吐き出し管は外部大気とそれぞれ連結される請求項４０に記載の切換弁。
【請求項４３】
前記開閉手段は、
前記流出口を開閉する開閉部材と、
電子気力により前記開閉部材を移動させる電磁石部材と、
前記開閉部材を元の位置に復元させる弾性部材とからなる請求項４０に記載の切換弁。
【請求項４４】
前記各流出口を開閉する前記各開閉部材の先端にパッキング部材が結合される請求項４０に記載の切換弁。
【請求項４５】
前記各水平部材は柔軟性を有する材料で形成される請求項４０に記載の切換弁。
【請求項４６】
前記各水平部材はその形状を維持する形状維持部材が結合される請求項４５に記載の切換弁。